(57)【要約】【課題】トラップフィルタの入出力における直流オフセットを補償する。【解決手段】映像ＩＦ信号は、トラップフィルタ２８に入力され、ここで音声ＩＦ信号に対応する周波数の信号が除去される。トラップフィルタ２８の入力信号と、出力信号は差分アンプ３２に入力され、差分アンプ３２は両者の直流成分の差を検出して、これに基づき出力信号の直流成分を補償する。【選択図】図４
2008067204.tif 000002
【特許請求の範囲】
【請求項１】
テレビ用の映像信号を処理する映像信号処理回路であって、
映像ＩＦ信号から、音声ＩＦ信号に対応する周波数の信号を除去するトラップフィルタと、
このトラップフィルタの入力信号と、出力信号の直流成分の差を検出して、出力信号の直流成分を補償する補償回路と、
を含むことを特徴とする映像信号処理回路。
【発明の詳細な説明】
【技術分野】
【０００１】
本発明は、テレビ用の映像信号を処理する映像信号処理回路に関する。
【背景技術】
【０００２】
従来より、テレビ信号の処理回路においては、ＲＦ帯の受信信号を中間周波数（ＩＦ）帯にダウンコンバートし、その後周波数帯域に応じて映像ＩＦ（ＰＩＦ）信号と、音声ＩＦ（ＳＩＦ）に分離して、映像ＩＦ信号と音声ＩＦ信号を別々に処理している。
【０００３】
ここで、映像ＩＦ信号と、音声ＩＦ信号の分離には、それぞれの周波数帯域の信号を抽出するＳＡＷフィルタが利用される。しかし、このＳＡＷフィルタによる分離は、それほど精密なものでなく、映像ＩＦ信号中には音声ＩＦ信号が若干残留する。そこで、映像ＩＦ信号から残留する音声ＩＦ信号を分離除去するために、オペアンプを利用したアクティブのトラップフィルタが利用される。
【０００４】
【特許文献１】特開平６−３８１４１号公報
【発明の開示】
【発明が解決しようとする課題】
【０００５】
ここで、このトラップフィルタは、映像ＩＦについて、ＡＭ検波した後の信号について適用される。映像ＩＦ信号の処理においては、ノイズの影響を小さくするために、処理の前の方の段階でそのレベルを比較的大きくしておくことが望まれ、従ってトラップフィルタはそのダイナミックレンジを大きくしたいという要求がある。ところが、トラップフィルタのダイナミックレンジを大きくすると、そのゲインが比較的小さくなってしまい、入出力において直流レベルに誤差が生じるという問題がある。そして、直流レベルが変動すると所望の映像が得られないという問題がある。
【課題を解決するための手段】
【０００６】
本発明は、テレビ用の映像信号を処理する映像信号処理回路であって、映像ＩＦ信号から、音声ＩＦ信号に対応する周波数の信号を除去するトラップフィルタと、このトラップフィルタの入力信号と、出力信号の直流成分の差を検出して、出力信号の直流成分を補償する補償回路と、を含むことを特徴とする。
【発明の効果】
【０００７】
本発明によれば、トラップフィルタのＤＣオフセットを補償して、出力の直流成分を所望のものに維持できる。従って、適切な表示を維持することができる。
【発明を実施するための最良の形態】
【０００８】
以下、本発明の実施形態について、図面に基づいて説明する。
【０００９】
図１は、映像および音声の両方を含むビデオＩＦ信号についての処理回路を示すブロック図である。
【００１０】
ビデオＩＦ信号は、映像用ＳＡＷフィルタ１０および音声用ＳＡＷフィルタ１２の両方に入力される。音声ＩＦ（ＳＩＦ）信号は、映像ＩＦ（ＰＩＦ）信号より４．５ＭＨｚだけ低い周波数の信号であり、通過周波数帯域が異なる映像用ＳＡＷフィルタ１０と、音声用ＳＡＷフィルタ１２とで、ＰＩＦ信号およびＳＩＦ信号がそれぞれ取り出される。ＳＩＦ信号は音声信号処理回路（図示せず）によって処理される。
【００１１】
ＰＩＦ信号は、図２に示されるように中心電圧を境に上下対称の信号であり、その振幅（包絡線）が映像信号になっており、これによってＩＦ周波数の搬送波をＡＭ変調した信号となっている。このＰＩＦ信号がＰＩＦアンプ２０に入力され、増幅される。このＰＩＦアンプ２０は、オートゲインコントロール（ＡＧＣ）アンプであり、ＡＧＣ回路２２から供給される制御信号によりゲインがコントロールされる。
【００１２】
ＰＩＦアンプ２０の出力は、ＡＭ検波回路２４に供給され、ここで検波されて搬送波が除去され、図２に示されるような映像信号となる。この映像信号は、色信号を含んだコンポジットビデオ信号である。このコンポジット信号は、第１アンプ２６において増幅される。ここで、このＡＭ検波回路２４は、ＡＭ検波回路２４から供給される無信号レベルを基準として正方向および負方向のレベルの一対の信号を出力する。そして、第１アンプ２６は、ＡＭ検波回路２４からの一対の信号からその基準となる無信号レベルを検出して、これを出力すると共に、図３に示すような一方（例えば、負方向）の信号を選択して出力する。
【００１３】
第１アンプ２６の出力は、トラップフィルタ２８に供給され、ここで特定周波数の信号が除去される。このトラップフィルタ２８は、複数のオペアンプを直列接続すると共に、所定のキャパシタを信号系路に挿入したり信号系路と電源との間に配置したりして形成される。このトラップフィルタ２８においては、オペアンプやキャパシタの特性を調整して、ＳＩＦ信号から混入する４．５ＭＨｚの信号を除去するように構成されている。
【００１４】
トラップフィルタ２８からの出力は、第２アンプ３０に供給され、ここにおいて所定の増幅を受け出力される。また、この第２アンプ３０の出力はＡＧＣ回路２２に供給され、ここにおいて映像信号の水平同期信号のレベルが無信号レベルに対して検出され、この検出値に応じた制御信号がＰＩＦアンプ２０に制御信号として供給される。すなわち、上述のように、トラップフィルタ２８に入力される信号は無信号レベルに対し負の信号であり、水平同期信号のレベルは、無信号レベルに対し最も離れた信号レベルである。従って、その水平同期信号のレベルを一定値に維持するようにＰＩＦアンプ２０のゲインをコントロールすることによって、所望のＡＧＣ動作が達成される。
【００１５】
なお、ＳＡＷフィルタ１０，１２は、ＩＣの外部に設けられ、それ以降の回路がＩＣに内蔵されており、ＳＡＷフィルタ１０の出力がＩＣに入力されてくる。
【００１６】
次に、図４には、本発明において特徴となる第１アンプ２６、トラップフィルタ２８および第２アンプ３０についての構成が示されている。このように、トラップフィルタ２８の入力信号Ｖｉｎと出力信号Ｖｏｕｔは、差分アンプ３２に入力される。そして、この差分アンプ３２による差分が補償回路として機能する第２アンプ３０の入力に加算される。特に、差分アンプ３２は、Ｖｉｎと、Ｖｏｕｔについて、これを積分して直流成分同士の差分をとる。従って、トラップフィルタ２８の入出力に生じたＤＣオフセットを補償して、第２アンプ３０への入力の直流成分を正しいものにできる。
【００１７】
図５には、差分アンプ３２の構成が示されている。Ｖｉｎは、ＮＰＮトランジスタＱ１のベースに入力される。このトランジスタＱ１のエミッタは、ＮＰＮトランジスタＱ２のエミッタに接続されており、これらトランジスタＱ１、Ｑ２のエミッタは、抵抗Ｒ１を介しグランドに接続されている。トランジスタＱ１のコレクタは、ＰＮＰトランジスタＱ３のコレクタに接続されており、このトランジスタＱ３は、コレクタベース間が短絡されていると共にエミッタは電源Ｖｃｃに接続されている。また、トランジスタＱ２のコレクタは、ＰＮＰトランジスタＱ４のコレクタに接続されており、このトランジスタＱ４は、コレクタベース間が短絡されていると共にエミッタは電源Ｖｃｃに接続されている。
【００１８】
トランジスタＱ４のベースには、ＰＮＰトランジスタＱ５のベースが接続されている。トランジスタＱ４とＱ５はカレントミラーを構成している。
【００１９】
トランジスタＱ５のエミッタは電源Ｖｃｃに接続され、コレクタはＮＰＮトランジスタＱ６のコレクタに接続されている。トランジスタＱ６のコレクタベース間は短絡され、エミッタはグランドに接続されている。トランジスタＱ６のベースは、抵抗Ｒ２を介し、ＮＰＮトランジスタＱ７のベースに接続されている。トランジスタＱ７のエミッタはグランドに接続され、ベースコレクタ間はキャパシタＣ１により接続されている。
【００２０】
また、トランジスタＱ３のベースは抵抗Ｒ３を介しＰＮＰトランジスタＱ８のベースに接続されている。トランジスタＱ８のエミッタは電源Ｖｃｃに接続され、ベースコレクタ間はキャパシタＣ２により接続されている。
【００２１】
トランジスタＱ８と、トランジスタＱ７のコレクタ同士は接続され、この接続点が差分アンプ３２の出力となり、第２アンプ３０に入力されると共に、Ｖｏｕｔが入力されるトランジスタＱ２のベースに接続されている。
【００２２】
このような構成において、ＶｉｎおよびＶｏｕｔが入力されると、その電圧に応じた電流がトランジスタＱ１、Ｑ２に流れ、その電流はトランジスタＱ３，Ｑ４にそれぞれ流れる。トランジスタＱ４に流れる電流と同じ電流がトランジスタＱ５、Ｑ６に流れる。トランジスタＱ６は、コレクタベース間が短絡されており、トランジスタＱ７はトランジスタＱ６と同等の電流を流そうとするが、抵抗Ｒ２およびキャパシタＣ１が存在するため、トランジスタＱ７のベースはトランジスタＱ６のベース電圧が積分された電圧となり、従ってＶｏｕｔの直流成分に応じた電圧になり、トランジスタＱ７にはＶｏｕｔの直流成分に応じた電流が流れる。
【００２３】
また、トランジスタＱ３は、コレクタベース間が短絡されており、トランジスタＱ８はトランジスタＱ８と同等の電流を流そうとするが、抵抗Ｒ３およびキャパシタＣ２が存在するため、トランジスタＱ８のベースはトランジスタＱ３のベース電圧が積分された電圧となり、従ってＶｉｎの直流成分に応じた電圧になり、トランジスタＱ７にはＶｉｎの直流成分に応じた電流が流れる。
【００２４】
従って、出力端にはＶｉｎとＶｏｕｔの直流成分の差に応じた電流が流れることになり、その電流がトランジスタＱ２のベースにフィードバックされることになる。従って、差分アンプ３２は、Ｖｏｕｔの直流成分がＶｉｎの直流成分に一致するように動作することになり、従って第２アンプ３０への入力の直流成分の変動が補償される。
【図面の簡単な説明】
【００２５】
【図１】全体構成を示すブロック図である。
【図２】ＩＦ信号の波形を示す図である。
【図３】第１アンプの出力波形を示す図である。
【図４】要部構成を示すブロック図である。
【図５】差分アンプの構成を示す図である。
【符号の説明】
【００２６】
１０，１２  ＳＡＷフィルタ、２０  ＰＩＦアンプ、２２  ＡＧＣ回路、２４  ＡＭ検波回路、２６  第１アンプ、２８  トラップフィルタ、３０  第２アンプ、３２  差分アンプ。
【図１】
2008067204.tif 000003
【図２】
2008067204.tif 000004
【図３】
2008067204.tif 000005
【図４】
2008067204.tif 000006
【図５】
2008067204.tif 000007